(57)【要約】【目的】タイムシフト再生中にリアルタイム放送の受信ができなくなっても、同じ放送番組を連続して視聴できるようにする「デジタル放送受信装置及びデジタル放送受信方法」を提供することである。【構成】受信したデジタル放送信号を記憶部に記録しながら、記録時刻から所定時間遅延した時刻で読み出して再生するタイムシフト機能を備えたデジタル放送受信装置において、タイムシフト再生が要求された時、選局放送局からのデジタル放送信号を第１の記録部に記録しながら、記録時刻から所定時間遅延した時刻で読み出してタイムシフト再生し、該タイムシフト再生中に受信状態が悪化した時、代替放送局からのデジタル放送信号を第２の記録部に記録しながら、前記第１の記録部からの読み出しを継続して再生を行い、該第１の記録部に記録したデジタル放送信号が全て読み出された後は、前記代替放送局からのデジタル放送信号を前記第２の記録部に継続して記録しながら、該第２の記録部の先頭よりデジタル放送信号を読み出してタイムシフト再生を継続する。【選択図】図１
2011151443.tif 000002
【特許請求の範囲】
【請求項１】
受信したデジタル放送信号を記憶部に記録しながら、記録時刻から所定時間遅延した時刻で読み出して再生するタイムシフト機能を備えたデジタル放送受信装置において、
デジタル放送信号を受信する受信部、
デジタル放送信号の受信状態を監視する受信状態監視部、
選局された放送局からのデジタル放送信号を受信部により受信させると共に、受信状態が悪化した時、該受信部により代替放送局からのデジタル放送信号を受信させるように制御する選局部、
選局放送局からのデジタル放送信号を記録する第１の記録部、
代替放送局からのデジタル放送信号を記録する第２の記録部、
タイムシフト再生が要求された時、前記選局放送局からのデジタル放送信号を前記第１の記録部に記録しながら、記録時刻から所定時間遅延した時刻で読み出してタイムシフト再生し、かつ、該タイムシフト再生中に受信状態が悪化した時、前記代替放送局からのデジタル放送信号を前記第２の記録部に記録しながら、前記第１の記録部からの読み出しを継続して再生を行い、該第１の記録部に記録したデジタル放送信号が全て読み出された後は、前記代替放送局からのデジタル放送信号を前記第２の記録部に継続して記録しながら、該第２の記録部よりデジタル放送信号を読み出してタイムシフト再生を継続するタイムシフト再生制御部、
を備えたことを特徴とするデジタル放送受信装置。
【請求項２】
フレーム単位で前記第１、第２の記録部へ記録する場合、タイムシフトの再生を開始するフレーム位置を記憶する手段、
を備え、前記タイムシフト再生制御部は、タイムシフト再生開始が要求されたとき、前記第１記録部の前記記憶されたフレーム位置よりデジタル放送信号を読み出して再生を開始することによりタイムシフト再生を行なう、
ことを特徴とする請求項１記載のデジタル放送受信装置。
【請求項３】
フレーム単位で前記第１、第２の記録部へ記録する場合、前記タイムシフト再生中に受信状態が悪化したフレーム位置を特定する情報を記憶する手段、
を備え、前記タイムシフト再生制御部は、前記受信状態が悪化したフレーム位置までのデジタル放送信号を前記第１の記録部から読み出し、しかる後、前記第２の記録部よりデジタル放送信号の読み出しを行なう、
ことを特徴とする請求項１記載のデジタル放送受信装置。
【請求項４】
受信したデジタル放送信号を記憶部に記録しながら、記録時刻から所定時間遅延した時刻で読み出して再生するタイムシフト機能を備えたデジタル放送受信装置において、
デジタル放送信号を受信する第１及び第２の受信部、
デジタル放送信号の受信状態を監視する受信状態監視部、
選局放送局からのデジタル放送信号を第１の受信部により受信させると共に、該選局放送局の代替放送局からのデジタル放送信号を第２の受信部により受信させる選局部、
選局放送局からのデジタル放送信号を記録する第１の記録部、
代替放送局からのデジタル放送信号を記録する第２の記録部、
タイムシフト再生が要求された時、前記選局放送局および代替放送局からのデジタル放送信号を前記第１、第２の記録部に記録しながら、該第１の記録部より記録時刻から所定時間遅延した時刻で記録データの読み出しを行なってタイムシフト再生し、かつ、該タイムシフト再生中に受信状態が悪化した時、該第２の記録部へのデジタル放送信号の記録を継続しながら、該受信状態が悪化した時刻以降の記録データを該第２の記録部から読み出してタイムシフト再生を継続するタイムシフト再生制御部、
を備えたことを特徴とするデジタル放送受信装置。
【請求項５】
前記タイムシフト再生制御部は、タイムシフト再生中に受信状態が悪化して記録データを読み出す記録部を変更した後にも、前記第１、第２の記録部に選局放送局および代替放送局からのデジタル放送信号の記録をそれぞれ継続させ、再度、受信状態が悪化すれば、記録データを読み出す記録部を変更してタイムシフト再生を継続する、
ことを特徴とする請求項４記載のデジタル放送受信装置。
【請求項６】
フレーム単位で前記第１、第２の記録部へ記録する場合、タイムシフトの再生を開始するフレーム位置を記憶する手段、
を備え、前記タイムシフト再生制御部は、タイムシフト再生開始が要求されたとき、前記第１記録部の前記記憶されたフレーム位置よりデジタル放送信号を読み出して再生を開始することによりタイムシフト再生を行なう、
ことを特徴とする請求項４記載のデジタル放送受信装置。
【請求項７】
受信したデジタル放送信号を記憶部に記録しながら、記録時刻から所定時間遅延した時刻で読み出して再生するタイムシフト機能を備えたデジタル放送受信装置におけるデジタル放送受信方法において、
タイムシフト再生が要求された時、選局放送局からのデジタル放送信号を第１の記録部に記録しながら、記録時刻から所定時間遅延した時刻で読み出してタイムシフト再生し、
該タイムシフト再生中に受信状態が悪化した時、代替放送局からのデジタル放送信号を第２の記録部に記録しながら、前記第１の記録部からの読み出しを継続して再生を行い、
該第１の記録部に記録したデジタル放送信号が全て読み出された後は、前記代替放送局からのデジタル放送信号を前記第２の記録部に継続して記録しながら、該第２の記録部よりデジタル放送信号を読み出してタイムシフト再生を継続する、
ことを特徴とするデジタル放送受信方法。
【請求項８】
フレーム単位で前記第１、第２の記録部へ記録する場合、タイムシフトの再生を開始するフレーム位置を記憶し、
タイムシフト再生開始が要求されたとき、前記第１記録部の前記記憶されたフレーム位置よりデジタル放送信号を読み出して再生を開始することによりタイムシフト再生を行なう、
ことを特徴とする請求項７記載のデジタル放送受信方法。
【請求項９】
フレーム単位で前記第１、第２の記録部へ記録する場合、前記タイムシフト再生中に受信状態が悪化したフレーム位置を特定する情報を記憶し、
前記受信状態が悪化したフレーム位置までのデジタル放送信号を前記第１の記録部から読み出し、しかる後、前記第２の記録部よりデジタル放送信号の読み出しを行なう、
ことを特徴とする請求項８記載のデジタル放送受信方法。
【請求項１０】
受信したデジタル放送信号を記憶部に記録しながら、記録時刻から所定時間遅延した時刻で読み出して再生するタイムシフト機能を備えたデジタル放送受信装置におけるデジタル放送受信方法において、
タイムシフト再生が要求された時、第１及び第２の受信部により受信した選局放送局および該選局放送局の代替放送局からのデジタル放送信号をそれぞれ第１、第２の記録部に記録しながら、該第１の記録部より記録時刻より所定時間遅延した時刻で記録データの読み出しを行なってタイムシフト再生し、
該タイムシフト再生中に受信状態が悪化した時、該第２の記録部へのデジタル放送信号の記録を継続しながら、該受信状態が悪化した時刻以降の記録データを該第２の記録部から読み出してタイムシフト再生を継続する、
ことを特徴とするデジタル放送受信方法。
【請求項１１】
タイムシフト再生中に受信状態が悪化して記録データを読み出す記録部を変更した後にも、前記第１、第２の記録部に選局放送局および代替放送局からのデジタル放送信号の記録をそれぞれ継続し、
再度、受信状態が悪化したとき、記録データを読み出す記録部を変更してタイムシフト再生を継続する、
ことを特徴とする請求項１０記載のデジタル放送受信方法。
【請求項１２】
フレーム単位で前記第１、第２の記録部へ記録する場合、タイムシフトの再生を開始するフレーム位置を記憶し、
タイムシフト再生開始が要求されたとき、前記第１記録部の前記記録されたフレーム位置よりデジタル放送信号を読み出して再生を開始することによりタイムシフト再生を行なう、
ことを特徴とする請求項１０載のデジタル放送受信方法。
【発明の詳細な説明】
【技術分野】
【０００１】
本発明はデジタル放送受信装置及びデジタル放送受信方法に係り、特に、受信したデジタル放送信号を記憶部に記録しながら、該記録時刻から所定時間遅延した時刻で読み出して再生するタイムシフト機能を備えたデジタル放送受信装置及びデジタル放送受信方法に関する。
【背景技術】
【０００２】
・同一サービスの継続受信機能
欧州のデジタルラジオ放送(DAB,DRM)にはサービスリンク機能がある。このサービスリンク機能は、現在受信しているアンサンブルが弱電界等に起因して受信できなくなったとき、代替放送局に受信を切り換える機能である。すなわち、サービスリンク機能は、アンサンブルに多重して送られてくるサービスリンク情報を用いて予め代替局リストを作成しておき、受信状態が悪化したとき、代替放送局のアンサンブル又はアナログ放送(AM/FM)のチャンネルに切り換えることで同じサービスを視聴し続けるアプリケーションである。
また、デジタルテレビ放送には同一番組を継続して受信するための機能として、中継局/系列局サーチ機能がある。中継局は、放送受信エリアを拡大するために、親局とは別の場所に設けられる補助的な放送局であり、親局と同じ番組を親局とは別の周波数で放送する。又、系列局は、放送局が日本テレビ系、フジテレビ系、ＴＢＳ系、テレビ朝日系等のどの系列に属しているかを示すもので、日本テレビ系に属する放送局は日本テレビ系の系列局である。系列局は、同一の番組を放送する確率が高いが、必ずしも同一の放送をしているとは限らない。この中継局/系列局サーチでは、予め、番組配列情報SI（Service Information）に含まれる各放送局のNIT（Network Information Table）情報を用いて親局である放送局の中継局リストを作成すると共に、BIT(Broadcaster Information Table)情報のaffiliation-id(系列識別子)を用いて系列局リストを作成しておき、現在受信中放送局の受信が不可能になったとき、前記各リストを用いて中継局サーチあるいは系列局サーチをして受信する。
【０００３】
図８はサービス継続受信機能の説明図であり、現在受信中のサービスの受信状態が悪化して時刻t9において音声フレーム９の受信が不可能なった場合である。かかる場合、前述のサービスリンク機能により、リンク先(代替放送局)の受信に切り換えて時刻t10より同一サービス(同一番組)の次の音声フレーム１０から受信を継続する。なお、図８における１升目は１音声フレームを意味している(以下においても同じ)。DAB音声フレームのフォーマットはETSI EN 408において規定され、音声が48KHzのサンプリング周波数の場合、1音声フレーム長は24msec、24 KHzのサンプリング周波数の場合、1音声フレーム長は48msecである。図９はかかるDAB音声フレームのフォーマット説明図であり、このフレーム単位でCRCチェックを行ない、訂正不可能な誤りの有無により受信不可能、可能が判断される。
【０００４】
・タイムシフト機能
デジタル放送受信機には、上記の受信状態が悪化しても継続して同一サービスを視聴し続ける機能に加えて、タイムシフト機能がある。タイムシフト機能は、受信したデジタル放送信号をバッファに記録しながら、該記録時刻から所定時間遅延した時刻で読み出して再生する機能である(特許文献１)。図１０（A）はタイムシフト機能の説明図であり、時刻t1において視聴を一時停止し、以後、バッファBFRへの記録を開始し、時刻t5において視聴が可能となって、バッファBFRから視聴停止時刻t1からのフレームを連続して読み出して再生する場合である。このタイムシフト機能によれば、放送受信中に電話が掛かってきたときや、駅の改札の出入時、電子メール作成時、その他、放送番組をリアルに視聴できない状況において、視聴を一時停止しても記録を継続し、視聴可能になったとき、視聴を停止した箇所から再生して放送を楽しむことができる。
【０００５】
ところで、タイムシフト機能による再生中に、受信状態の悪化によりリアルタイム放送の受信ができなくなる場合がある。かかる場合、従来は、サービスリンク機能により代替放送局に受信を切り換えて受信を継続する。図１０（B）はタイムシフト機能による再生中にリアルタイム放送の受信ができなくなる場合のタイムシフト制御説明図であり、図１０（A）の場合と同様に時刻t5において視聴が可能となって、バッファBFRから視聴停止時刻t1からのフレームを連続して読み出してタイムシフト再生をしている。かかる状態において、時刻t9において現在受信中のサービスが受信できなくなると、（a）の第1のタイムシフト制御では直ちにタイムシフト再生を停止し、時刻t10においてリンク先(代替放送局)の受信に切り換えてフレーム１０から受信を継続する。しかし、この第１のタイムシフト制御では、フレーム６〜９の視聴ができず、連続してサービスを視聴できない問題がある。
一方、（b）の第２のタイムシフト制御では直ちにタイムシフト再生を停止せず、バッファBFRに記録した全フレームを読み出した後、タイムシフト再生を停止し、時刻t13においてリンク先(代替放送局)の受信に切り換えてフレーム１３から受信を継続する。しかし、この第２のタイムシフト制御では、フレーム９〜１２の視聴ができず、連続してサービスを視聴できない問題がある。
以上より、従来はタイムシフト再生中にリアルタイム放送の受信ができなくなると連続した同一番組の受信ができない問題があった。このため、タイムシフト再生中にリアルタイム放送の受信ができなくなっても、番組を連続して視聴できるようにする技術が要望されている。特許文献１の従来技術は、タイムシフト再生中にテレビ放送の受信感度が悪化したことを直ちにユーザーに知らせる技術を提供するが、同一番組を連続視聴できるようにするものではない。
【先行技術文献】
【特許文献】
【０００６】
【特許文献１】特開２００８−１３６１０３号公報
【発明の概要】
【発明が解決しようとする課題】
【０００７】
以上から、本発明の目的は、タイムシフト再生中にリアルタイム放送の受信ができなくなっても、同一放送番組を連続して視聴できるようにすることである。
本発明の別の目的は、チューナが１台の場合においてタイムシフト再生中にリアルタイム放送の受信ができなくなっても、１フレームの飛びが発生するだけで同一放送番組を連続して視聴できるようにすることである。
本発明の別の目的は、チューナを２台設けることにより、タイムシフト再生中にリアルタイム放送の受信ができなくなっても同一放送番組を連続して視聴できるようにすることである。
本発明の別の目的は、チューナを２台設けることにより、代替放送局においてリアルタイム放送の受信ができなくなっても、同一放送番組を連続して視聴できるようにすることである。
【課題を解決するための手段】
【０００８】
本発明は、受信したデジタル放送信号を記憶部に記録しながら、該記録時刻から所定時間遅延した時刻で読み出して再生するタイムシフト機能を備えたデジタル放送受信装置およびデジタル放送受信方法である。
・デジタル放送受信装置
本発明の第１のデジタル放送受信装置は、デジタル放送信号を受信する受信部、デジタル放送信号の受信状態を監視する受信状態監視部、選局された放送局からのデジタル放送信号を受信部により受信させると共に、受信状態が悪化した時、該受信部により代替放送局からのデジタル放送信号を受信させるように制御する選局部、選局放送局からのデジタル放送信号を記録する第１の記録部、代替放送局からのデジタル放送信号を記録する第２の記録部、タイムシフト再生が要求された時、前記選局放送局からのデジタル放送信号を前記第１の記録部に記録しながら、記録時刻から所定時間遅延した時刻で読み出してタイムシフト再生し、かつ、該タイムシフト再生中に受信状態が悪化した時、前記代替放送局からのデジタル放送信号を前記第２の記録部に記録しながら、前記第１の記録部からの読み出しを継続して再生を行い、該第１の記録部に記録したデジタル放送信号が全て読み出された後は、前記代替放送局からのデジタル放送信号を前記第２の記録部に継続して記録しながら、該第２の記録部よりデジタル放送信号を読み出してタイムシフト再生を継続するタイムシフト再生制御部、を備えている。
第１のデジタル放送受信装置は、更に、フレーム単位で前記第１、第２の記録部へ記録する場合、タイムシフトの再生を開始するフレーム位置を記憶する手段を備え、前記タイムシフト再生制御部は、タイムシフト再生開始が要求されたとき、前記第１記録部の前記記憶されたフレーム位置よりデジタル放送信号を読み出して再生を開始することによりタイムシフト再生を行なう。
第１のデジタル放送受信装置は、更に、フレーム単位で前記第１、第２の記録部へ記録する場合、前記タイムシフト再生中に受信状態が悪化したフレーム位置を特定する情報を記憶する手段を備え、前記タイムシフト再生制御部は、前記受信状態が悪化したフレーム位置までのデジタル放送信号を前記第１の記録部から読み出し、しかる後、前記第２の記録部よりデジタル放送信号の読み出しを行なう。
本発明の第２のデジタル放送受信装置は、デジタル放送信号を受信する第１及び第２の受信部、デジタル放送信号の受信状態を監視する受信状態監視部、選局放送局からのデジタル放送信号を第１の受信部により受信させると共に、該選局放送局の代替放送局からのデジタル放送信号を第２の受信部により受信させる選局部、選局放送局からのデジタル放送信号を記録する第１の記録部、代替放送局からのデジタル放送信号を記録する第２の記録部、タイムシフト再生が要求された時、前記選局放送局および代替放送局からのデジタル放送信号を前記第１、第２の記録部に記録しながら、該第１の記録部より記録時刻から所定時間遅延した時刻で記録データの読み出しを行なってタイムシフト再生し、かつ、該タイムシフト再生中に受信状態が悪化した時、該第２の記録部へのデジタル放送信号の記録を継続しながら、該受信状態が悪化した時刻以降の記録データを該第２の記録部から読み出してタイムシフト再生を継続するタイムシフト再生制御部を備えている。
第２のデジタル放送受信装置において、前記タイムシフト再生制御部は、タイムシフト再生中に受信状態が悪化して記録データを読み出す記録部を変更した後にも、前記第１、第２の記録部に選局放送局および代替放送局からのデジタル放送信号の記録をそれぞれ継続させ、再度、受信状態が悪化すれば、記録データを読み出す記録部を変更してタイムシフト再生を継続する。
第２のデジタル放送受信装置は、フレーム単位で前記第１、第２の記録部へ記録する場合、タイムシフトの再生を開始するフレーム位置を記憶する手段を備え、前記タイムシフト再生制御部は、タイムシフト再生開始が要求されたとき、前記第１記録部の前記記憶されたフレーム位置よりデジタル放送信号を読み出して再生を開始することによりタイムシフト再生を行なう。
【０００９】
・デジタル放送受信方法
本発明の第１のデジタル放送受信方法は、タイムシフト再生が要求された時、選局放送局からのデジタル放送信号を第１の記録部に記録しながら、記録時刻から所定時間遅延した時刻で読み出してタイムシフト再生するステップ、該タイムシフト再生中に受信状態が悪化した時、代替放送局からのデジタル放送信号を第２の記録部に記録しながら、前記第１の記録部からの読み出しを継続して再生を行うステップ、該第１の記録部に記録したデジタル放送信号が全て読み出された後は、前記代替放送局からのデジタル放送信号を前記第２の記録部に継続して記録しながら、該第２の記録部よりデジタル放送信号を読み出してタイムシフト再生を継続するステップ、を有している。
第１のデジタル放送受信方法は、更に、フレーム単位で前記第１、第２の記録部へ記録する場合、タイムシフトの再生を開始するフレーム位置を記憶するステップ、タイムシフト再生開始が要求されたとき、前記第１記録部の前記記憶されたフレーム位置よりデジタル放送信号を読み出して再生を開始することによりタイムシフト再生を行なうステップ、を有している。
第１のデジタル放送受信方法は、更に、フレーム単位で前記第１、第２の記録部へ記録する場合、前記タイムシフト再生中に受信状態が悪化したフレーム位置を特定する情報を記憶するステップ、前記受信状態が悪化したフレーム位置までのデジタル放送信号を前記第１の記録部から読み出し、しかる後、前記第２の記録部よりデジタル放送信号の読み出しを行なうステップ、を有している。
本発明の第２のデジタル放送受信方法は、タイムシフト再生が要求された時、第１及び第２の受信部により受信した選局放送局および該選局放送局の代替放送局からのデジタル放送信号をそれぞれ第１、第２の記録部に記録しながら、該第１の記録部より記録時刻より所定時間遅延した時刻で記録データの読み出しを行なってタイムシフト再生するステップ、該タイムシフト再生中に受信状態が悪化した時、該第２の記録部へのデジタル放送信号の記録を継続しながら、該受信状態が悪化した時刻以降の記録データを該第２の記録部から読み出してタイムシフト再生を継続するステップ、を有している。
第２のデジタル放送受信方法は、更に、タイムシフト再生中に受信状態が悪化して記録データを読み出す記録部を変更した後にも、前記第１、第２の記録部に選局放送局および代替放送局からのデジタル放送信号の記録をそれぞれ継続するステップ、再度、受信状態が悪化したとき、記録データを読み出す記録部を変更してタイムシフト再生を継続するステップ、を有している。
第２のデジタル放送受信方法は、更に、フレーム単位で前記第１、第２の記録部へ記録する場合、タイムシフトの再生を開始するフレーム位置を記憶するステップを有し、タイムシフト再生開始が要求されたとき、前記第１記録部の前記記録されたフレーム位置よりデジタル放送信号を読み出して再生を開始することによりタイムシフト再生を行なう。
【発明の効果】
【００１０】
本発明によれば、タイムシフト再生中にリアルタイム放送の受信ができなくなっても、フレームの飛びを０また１にすることができ、同一放送番組を連続して視聴することができる。
本発明によれば、受信部（チューナ）が１台の場合において、タイムシフト再生中にリアルタイム放送の受信ができなくなっても、１フレームの飛びが発生するだけで、同じ放送番組を連続して視聴することができる。
本発明によれば、受信部(チューナ)を２台設けることにより、タイムシフト再生中にリアルタイム放送の受信ができなくなってもフレームの飛びない同一放送番組の視聴ができる。
本発明によれば、受信部(チューナ)を２台設け、受信状態に基づいて選局放送局と代替放送局を切り換えることにより、一方の局のリアルタイム放送の受信ができなくなっても、フレームの飛びなく同一放送番組を連続して視聴することができる。
【図面の簡単な説明】
【００１１】
【図１】第１実施例のデジタル放送受信機におけるタイムシフト制御の概要説明図である。
【図２】本発明の第１実施例のデジタル放送受信機の構成図である。
【図３】第１実施例のタイムシフト制御の処理フローである。
【図４】チューナが２台有するデジタル放送受信機におけるタイムシフト制御の概要説明図である。
【図５】本発明の第２実施例のデジタル放送受信機の構成図である。
【図６】第２実施例のタイムシフト制御の処理フローである。
【図７】リンクバックの説明図であり、音声フレームを読み出すバッファを変更した後のタイムシフト制御説明図である。
【図８】同一サービスの継続受信機能の説明図である。
【図９】DAB音声フレームのフォーマット説明図である。
【図１０】従来のタイムシフト制御の問題点説明図である。
【発明を実施するための形態】
【００１２】
(Ａ)第１実施例
(ａ)第１実施例のタイムシフト制御の概要
図１は第１実施例のデジタル放送受信機におけるタイムシフト制御の概要説明図であり、BFR1は選局放送局より受信したデジタル放送信号を記録する第１バッファ、BFR2は選局放送局の代替放送局から受信したデジタル放送信号を記録する第２バッファである。
選局放送局より受信したデジタル放送信号を受信して出力中の時刻t1において、タイムシフト再生を後でするものとして視聴を一時停止する。これにより、タイムシフト制御部（図示せず）は、後のタイムシフト再生のために該選局放送局より受信したデジタル放送信号をフレーム単位でフレーム１より順番に第１バッファBFR１に記録する。そして、時刻t5において視聴が可能となって、ユーザーがタイムシフト再生を指示すると、タイムシフト制御部は、選局放送局より受信したデジタル放送信号のフレーム(フレーム５，６、・・・)を継続して第１バッファBFR1に記録しながら、該第１バッファBFR1の先頭からフレーム(フレーム１，２、・・・)を読み出して再生出力する。図１の例では記録時刻より４フレーム時間遅延した時刻で第１バッファBFR1の先頭よりフレームが順次読み出されてタイムシフト再生が行なわれる。
【００１３】
以後、第１バッファBFR1へのフレーム記録と、該第１バッファBFR1からの４フレーム時間遅延したフレーム読み出しが並行して行なわれ、タイムシフト再生が継続する。かかるタイムシフト再生中に受信状態が悪化して時刻t9において選局放送局からのフレーム(フレーム９)に誤りが検出されると、タイムシフト制御部は、受信放送局をリンク先放送局（代替放送局）に切り替え、時刻t10より該代替放送局より受信したデジタル放送信号のフレーム(フレーム１０，１１、・・・)を第２バッファBFR２に記録し、並行して前記第１バッファBF1からの読み出しを継続してタイムシフト再生を続行する。そして、該第１バッファBFR1に記録したフレームが全て読み出されると、時刻t14よりタイムシフト制御部は、前記第２バッファBFR2のフレーム記憶開始位置よりフレーム(フレーム１０，１１、・・・)の読み出しを行ってタイムシフト再生を継続する。なお、以後、第２バッファBFR2からのフレーム読み出しと並行して、代替放送局から受信したデジタル放送信号のフレーム(フレーム１４，１５、・・・)を該第２バッファBFR2に順次記録する。
以上のようにすれば、時刻t9におけるフレーム９の再生はできないが、フレーム１０からタイムシフト再生を継続でき、同一番組をほぼ連続した状態でタイムシフト再生をすることができる。
【００１４】
第１バッファBFR１の読み出しから第２バッファBFR2の読み出しへの切換制御方法としては以下の第１、第２の方法が可能である。
第１の切換制御方法は、１）CRCチェックにより誤りが検出されたフレーム(図１ではフレーム９)までの受信フレームを第１バッファBFR1にすべて記録し、2) タイムシフト再生時に第１バッファBF１から読み出した各フレームに対してCRCチェックを施し、3) 誤りが検出された時(図１では時刻t14)、以後、第２バッファBFR2からのフレーム読み出しに切り換える。
第２の切換制御方法は、1) CRCチェックにより誤りが検出されたフレーム(図１ではフレーム9)の位置情報を記憶しておき、２）タイムシフト再生時に第１バッファBF１から前記記憶したフレーム位置までフレームを読み出し、3)以後、第２バッファBFR2からのフレーム読み出しに切り換える。なお、以降の実施例では第２の切換制御方法を採用するものとして説明する。
【００１５】
(ｂ) 第１実施例のデジタル放送受信機
図２は本発明の第１実施例のデジタル放送受信機の構成図である。
受信部１１は、チューナ１１a、OFDM復調部（DET）１１b、誤り検出訂正部（ERDT）１１cを備えており、チューナ１１aはアンテナATによって受信したデジタルラジオ放送の電波からユーザーが選局した放送局（チャンネル）に合致した受信周波数のラジオ放送信号を出力する。OFDM復調部１１bはチューナで受信した放送信号をOFDM復調してトランスポートストリームTS（Transport Stream）を出力する。誤り検出訂正部１１cは伝送中に生じる誤りを検出して訂正する。
受信状態監視部１２は訂正不可能な誤り（受信不可能状態）を検出して制御部１３に通知する。制御部１４は、受信機全体を制御するが、本発明と関連する制御手段として、選局制御部５１、タイムシフト指示部５２等を備えている。選局制御部５１は、チューナ１１aにユーザーが選局した放送局（チャンネル）からのラジオ放送信号を受信出力させるように制御すると共に、サービスリンク情報を用いて代替局リストを作成し、該リストを用いて受信状態が悪化したときに受信局の切換制御を行なう。タイムシフト指示部５２は、操作部２１より、タイムシフトのための記憶開始が要求されたとき、及びタイムシフト再生開始が指示されたとき、その旨をタイムシフト部１５に入力する。データデコーダ１４は受信部１１から出力されるデータストリームをデコードしてサービスリンク情報を抽出して制御部１３に入力し、選局制御部５１は該サービスリンク情報を用いて代替局リストASLを作成し記憶部２２に保存する。
【００１６】
タイムシフト部１５は、図１の概要で説明したタイムシフト制御を実行するタイムシフト制御部６１、バッファ部１６の第１バッファBFR1,第２バッファBFR2への音声フレームの書き込み及び読み出しを制御する読出/書込制御部６２、タイムシフト再生のために記憶するフレームの先頭位置、誤りが検出されたフレームの位置等を記憶するフレーム位置記憶部６３を備えている。
バッファ部１６は、タイムシフト再生制御時に、選局放送局から受信した音声フレームを保存する第１バッファBFR1と代替放送局から受信した音声フレームを保存する第２バッファBFR2を備えている。切換部17は、通常の受信時には受信部１１から出力されるオーディオデータストリーム(音声フレーム)を選択して出力し、タイムシフト再生時には第１、第２バッファBFR1,BFR2からタイムシフト部１５により読み出した音声フレームを選択して出力する。
オーディオ出力部１８は、音声フレームを音声信号にして変換すると共に、所定の音声処理を施して図示しないスピーカより出力する。操作部２１には、各種のキーが設けられており、例えば、タイムシフトのための記憶開始を指示するキーTSM、タイムシフト再生開始を指示するキーTSPなどが設けられている。
【００１７】
(ｃ) タイムシフト制御の処理
図３は第１実施例のタイムシフト制御の処理フローであり、図１を参照しつつ説明する。
通常、ユーザーが選局した放送局(選局放送局という)からの放送サービスを受信して受信部１１、切換部１７、オーディオ出力部１８を介してラジオ放送音声を出力する(ステップ１０１)。かかる状態において、制御部１３のタイムシフト指示部５２は、操作部２１よりタイムシフト再生のための記憶開始が要求されたか監視し(ステップ１０２)、タイムシフト再生のための記憶開始が要求されるとタイムシフト制御部６１に通知し(図１の時刻t1)、これによりタイムシフト制御部６１は、以後、選局放送局から受信した放送受信データ（音声フレーム）を第１バッファBFR1にバッファリングする(ステップ１０３)。また、タイムシフト制御部６１は、タイムシフト再生のために第１バッファＢＦＲ１へ記録を開始した先頭フレーム(図１のフレーム１)の位置情報を記憶部６３に記憶する。
ついで、タイムシフト指示部５２は、操作部２１よりタイムシフト再生開始が要求されたか監視し(ステップ１０４)、タイムシフト再生開始が要求されるとタイムシフト制御部６１に通知し(図１の時刻t5)、これによりタイムシフト制御部６１は、フレーム位置記憶部６３に記憶されている先頭フレーム位置情報を参照して第１バッファBFR1の先頭からフレーム(図1のフレーム１，２、・・・)を読み出し、切換部１７、オーディオ出力部１８を介して再生出力する(ステップ１０５)。また、タイムシフト制御部６１は、選局放送局より受信したデジタル放送信号の音声フレーム(フレーム５，６、・・・)を継続して第１バッファBFR1に記録する(ステップ１０６)。
【００１８】
上記のタイムシフト再生時、受信状態監視部１２は音声フレームに検出不可能な誤りが検出されて受信不可能になったか監視しており(ステップ１０７)、検出不可能な誤りが検出されると(図１の時刻t9)、その旨を制御部１３に通知する。制御部１３のタイムシフト指示部５２は誤り検出発生を直ちにタイムシフト制御部６１に通知し、また、選局制御部５１は代替局リストASLを参照して受信放送局から代替放送局に切り換え、受信部１１は以後、代替放送局から受信したオーディオデータストリーム（音声フレーム）を出力する(ステップ１０８)。
タイムシフト制御部６１は、上記通知により、誤りが検出された音声フレームの位置をフレーム位置記憶部６３に保存すると共に、以後(図１の時刻t10以降)、代替放送局から受信した音声フレーム(フレーム１０，１１、・・・)を第２バッファBFR2にバッファリングし(ステップ１０９)、並行して前記第１バッファBF1からの読み出しを継続してタイムシフト再生を続行する(ステップ１１０)。
かかる状態で、タイムシフト制御部６１は第１バッファBFR1に記録したフレームが全て読み出されたか監視し、すなわち、フレーム位置記憶部６３に記憶したフレーム位置が示す音声フレームの第１バッファBFR1からの読み出しが完了したか監視し(ステップ１１１)。読み出しが完了すれば、以後(図１の時刻t14以降)、タイムシフト制御部６１は、第２バッファBFR2のフレーム記憶開始位置よりフレーム(図１のフレーム１０，１１、・・・)の読み出しを行ってタイムシフト再生を継続し、同時に、代替放送局から受信したデジタル放送信号の音声フレーム(フレーム１４，１５、・・・)を該第２バッファBFR2に順次記録する。
第１実施例によれば、最初に誤り検出されたフレーム（図ではフレーム9）の再生はできないが、該フレーム以降のフレームからタイムシフト再生を継続でき、同一番組をほぼ連続した状態でタイムシフト再生をすることができる。
【００１９】
(Ｂ)第２実施例
(ａ) 第２実施例のタイムシフト制御の概要
図１はチューナが１台の第１実施例のデジタル放送受信機の概要であるが、図４はチューナが２台有する第2実施例のデジタル放送受信機におけるタイムシフト制御の概要説明図である。
図において、BFR1は選局放送局より第１のチューナが受信したデジタル放送信号を記録する第１バッファ、BFR2は選局放送局の代替放送局から第２のチューナが受信したデジタル放送信号を記録する第２バッファである。
選局放送局より第１のチューナが受信したデジタル放送信号を受信して出力中の時刻t1において、後でタイムシフト再生するものとして視聴を一時停止する。これにより、タイムシフト制御部（図示せず）は、後のタイムシフト再生のために該選局放送局より受信したデジタル放送信号をフレーム単位でフレーム１より順番に第１バッファBFR１に記録すると共に、同時に代替放送局より受信したデジタル放送信号をフレーム単位でフレーム１より順番に第２バッファBFR２に記録する。そして、時刻t5において視聴が可能となって、ユーザーがタイムシフト再生を指示すると、タイムシフト制御部は、該第１バッファBFR1の先頭からフレーム(フレーム１，２、・・・)を記録時から所定時間(図４では４フレーム時間)遅れて読み出して再生出力し（タイムシフト再生）、又、以上と並行して第１及び第２のチューナにより受信した選局放送局および代替放送局からのデジタル放送信号をフレーム単位でそれぞれ第１、第２のバッファBFR1,BFR2に記録する。
【００２０】
以後、第１、第２バッファBFR1、BFR2へのフレーム単位での記録と、該第１バッファBFR1からの４フレーム時間遅延したフレーム単位の読み出しが並行して行なわれ、タイムシフト再生を継続する。かかるタイムシフト再生中に受信状態が悪化して時刻t9において選局放送局からのフレーム(フレーム９)に誤りが検出されると、タイムシフト制御部は、該誤り検出フレームの位置を記憶する。
以後、第１、第２バッファBFR1、BFR2へのフレーム記録と、該第１バッファBFR1からの４フレーム時間遅延したフレーム読み出しが並行して行なわれてタイムシフト再生が継続し、第１バッファBFR1からのフレーム読み出し位置が前記誤り検出フレーム位置（フレーム９）になると、タイムシフト制御部は、直ちに、第２バッファBFR2の誤り検出フレーム位置からのフレーム読み出しに切り換える。この結果、以後、第２バッファBFR2のフレーム９，１０、・・・が読み出されてタイムシフト再生が継続する。なお、第１、第２バッファへの記録は誤りの有無に関係なく並行して行なわれる。
以上のようにすれば、タイムシフト再生中に誤りが検出されて受信放送局を切り換えても同一番組を連続して再生することができる。
【００２１】
(ｂ) 第２実施例のデジタル放送受信機
図５は本発明の第２実施例のデジタル放送受信機の構成図であり、図２の第１実施例と同一部分には同一符号を付している。異なる点は、選局放送局および代替放送局からの放送信号を受信する第１、第２の受信部１１−１，１１−２と、選局放送局および代替放送局からの受信状態を監視する第１、第２の受信状態監視部１２−１，１２−２が設けられ、第１、第２の受信部から出力される音声データストリームがタイムシフト部１５にそれぞれ入力されている点である。なお、第１、第２の受信部１１−１，１１−２は同一の構成を備え、第１実施例と同様にチューナ、OFDM復調部(DEM)、誤り検出訂正部（ERDT）を備えている。
【００２２】
(ｃ)タイムシフト制御の処理
図６は第２実施例のタイムシフト制御の処理フローであり、以下、図４を参照しつつ説明する。
通常、ユーザーが選局した放送局(選局放送局という)からの放送サービスを受信して第１受信部１１−１、切換部１７、オーディオ出力部１８を介してラジオ放送音声を出力する(ステップ２０１)。かかる状態において、制御部１３のタイムシフト指示部５２は、操作部２１よりタイムシフト再生のための記憶開始が要求されたか監視する(ステップ２０２)。タイムシフト再生のための記憶開始が要求されると、タイムシフト指示部５２は、タイムシフト制御部６１に通知し(図４の時刻t1)、また、選局制御部５１は第２受信部１１−２により代替放送局からの受信開始を行なう。尚、選局放送局からの受信と代替放送局からの受信を同時に並行して行なうように構成することもできる。
以後、タイムシフト制御部６１は、第１受信部１１−１により選局放送局から受信した放送受信データ（音声フレーム）を第１バッファBFR1にバッファリングし、また、第２受信部１１−２により選局放送局から受信した放送受信データ（音声フレーム）を第２バッファBFR2にバッファリングする(ステップ2０３)。このとき、タイムシフト制御部６１は、タイムシフト再生のために第１バッファＢＦＲ１へ記録を開始した先頭フレーム(図１のフレーム１)の位置情報を記憶部６３に記憶する。
【００２３】
ついで、タイムシフト指示部５２は、操作部２１よりタイムシフト再生開始が要求されたか否かを監視し(ステップ２０４)、タイムシフト再生開始が要求されるとタイムシフト制御部６１に通知し(図４の時刻t5)、これによりタイムシフト制御部６１は、フレーム位置記憶部６３に記憶されている先頭フレーム位置情報を参照して第１バッファBFR1の先頭からフレーム(図４のフレーム１，２、・・・)を読み出して再生出力する(ステップ２０５)。また、タイムシフト制御部６１は、選局放送局及び代替放送局よりそれぞれ受信したデジタル放送信号の音声フレーム(フレーム５，６、・・・)を継続して第１、第２バッファBFR１、BFR2に記録する(ステップ２０６)。
上記のタイムシフト再生時、受信状態監視部１２−１は音声フレームに検出不可能な誤りが検出されて受信不可能になったか監視しており(ステップ２０７)、検出不可能な誤りが検出されると(図４の時刻t9)、その旨を制御部１３に通知する。制御部１３のタイムシフト指示部５２は誤り検出発生を直ちにタイムシフト制御部６１に通知し、タイムシフト制御部６１は、該誤りが検出された音声フレームの位置をフレーム位置記憶部６３に保存する(ステップ２０８)。
【００２４】
以後(図４の時刻t９以降)、タイムシフト制御部６１は、選局放送局、代替放送局からそれぞれ受信した音声フレーム(フレーム９、１０，１１、・・・)を第１、第２バッファBFR1、BFR2にバッファリングし、並行して前記第１バッファBF1からの読み出しを継続してタイムシフト再生を続行する(ステップ２０９)。
かかる状態で、タイムシフト制御部６１は第１バッファBFR1に記録した正常フレームが全て読み出されたか監視し、すなわち、フレーム位置記憶部６３に記憶した誤り検出フレーム位置直前の音声フレーム(フレーム８)の第１バッファBFR1からの読み出しが完了したか監視する(ステップ２１０)。誤り検出フレーム位置直前の音声フレームの読み出しが完了すれば(図４時刻t12)、タイムシフト制御部６１は、第２バッファBFR2の誤り検出フレーム位置より音声フレーム (図４のフレーム９、１０，・・・)の読み出しを行ってタイムシフト再生を継続し、同時に、選局放送局、代替放送局からそれぞれ受信した音声フレーム(フレーム１３，１４、・・・)を第１、第２バッファBFR1、BFR2にバッファリングする(ステップ２１１)。
以上より、誤りが検出されて受信が不可能となったフレームの直前まで第１バッファBFR１から誤りのない正常な音声フレーム(フレーム１〜８)を読み出し、誤りが検出されたフレーム以降は第２バッファBFR2から代替放送局から受信した誤りのない正常なフレーム(フレーム９，１０、・・・)を読み出すようにしたから、音声が途切れることなくタイムシフト再生することができる。
第２実施例によれば、タイムシフト中に誤りが検出されて同一番組のフレームを連続して、換言すれば音声が途切れることなくタイムシフト再生することができる。
【００２５】
(ｄ)リンクバックによるタイムシフト制御
図７はリンクバックの説明図であり、図４の時刻t12において音声フレームを読み出すバッファを変更した後のタイムシフト制御を説明するものである。
タイムシフト再生中に受信状態が悪化して音声フレームを読み出すバッファを変更した後にも(図７の時刻t12以降)、第１、第２のバッファBFR1,BFR2へ選局放送局および代替放送局から受信した音声フレーム（フレーム１３，１４、・・・）の記録をそれぞれ継続して行う。そして、音声フレームを読み出している第２バッファBFR2に対応する代替放送局の受信状態が悪化して誤りが検出されると(図７の時刻t16)、タイムシフト制御部６１は該誤りが検出された音声フレームの位置をフレーム位置記憶部６３に保存する。
【００２６】
以後、タイムシフト制御部６１は、選局放送局、代替放送局からそれぞれ受信した音声フレーム(フレーム１６、１７、・・・)を第１、第２バッファBFR1、BFR2にバッファリングし、並行して第２バッファBFR2からの読み出しを継続してタイムシフト再生を続行する。かかる状態で、タイムシフト制御部６１は第２バッファBFR2に記録した正常フレームが全て読み出されたか監視し、すなわち、フレーム位置記憶部６３に記憶した誤り検出フレーム位置直前の音声フレーム(フレーム１５)の第２バッファBFR2からの読み出しが完了したか監視する。誤り検出フレーム位置直前の音声フレームの読み出しが完了すれば(図７時刻t20)、タイムシフト制御部６１はフレームを読み出すバッファを切り換え、第１バッファBFR1の誤り検出フレーム位置より音声フレーム (図７のフレーム１６，１７，・・・)の読み出しを行ってタイムシフト再生を継続し、同時に、選局放送局、代替放送局からそれぞれ受信した音声フレーム(フレーム２０，２１、・・・)を第１、第２バッファBFR1、BFR2にバッファリングする(ステップ２１１)。以後、上記と同様なタイムシフト再生制御が行なわれる。
以上のリンクバックによるタイムシフト制御によれば、受信状態に基づいて選局放送局と代替放送局を交互に切り換えることにより、同一放送番組を連続して視聴することができる。
以上では、本発明をデジタルラジオ受信機に適用した場合について説明したが、デジタルテレビ受信機にも同様に適用できることは勿論である。
【符号の説明】
【００２７】
BFR１  第１バッファ
BFR2  第２バッファ
１１  受信部
１２  受信状態監視部
１３  制御部
１４  データデコーダ
１５  タイムシフト部
１６  バッファ部
１７  切換部
５１  選局制御部
５２  タイムシフト指示部
５１  選局制御部
５２  タイムシフト指示部
６１  タイムシフト制御部
６２  読出/書込制御部
６３  フレーム位置記憶部
【図１】
2011151443.tif 000003
【図２】
2011151443.tif 000004
【図３】
2011151443.tif 000005
【図４】
2011151443.tif 000006
【図５】
2011151443.tif 000007
【図６】
2011151443.tif 000008
【図７】
2011151443.tif 000009
【図８】
2011151443.tif 000010
【図９】
2011151443.tif 000011
【図１０】
2011151443.tif 000012